(57)【要約】【課題】    キャビネットと壁面の間の狭い空間において壁面内でのキャビネット位置を微調整する事が容易であり、キャビネットを変形し破損することのないキャビネットの固定構造を提供する。【解決手段】  手洗器キャビネット本体１は、一部が壁面Ｗに埋め込まれ、手洗器キャビネット本体１に固定される手洗器本体６と、壁面Ｗに埋設されたキャビネット本体３を備えている。キャビネット本体３は、後端部３ｃが壁面Ｗに当接した状態で、キャビネット本体後半部３ｂの側面と壁固定部材Ｃをネジ９が挿通した固定治具７を介して固定することにより、壁面Ｗに取り付けられている。固定治具７は、キャビネットの固定位置の微調整が可能にネジ挿入穴Ｈがあいているため、壁面または壁固定部材にキャビネットを容易に固定できることを特徴としている。【選択図】  図４
2008110091.tif 000002
【特許請求の範囲】
【請求項１】
トイレルームの壁面に埋設されて設置されるキャビネットの固定構造において、
前記キャビネットの上面及び底面に固定治具が配置され、
前記固定治具はＬ字形状であり、
前記固定治具はＬ字形状の第一の面に形成された第一ネジ挿入穴と、
前記Ｌ字形状の第一の面とは異なる第二の面に形成された第ニネジ挿入穴を備え、
前記第一ネジ挿入穴にネジを挿通して前記キャビネットと前記固定治具が固定されており、
かつ前記第ニネジ挿入穴にネジを挿通して壁または壁固定部材と前記固定治具が固定されており、
前記キャビネットと前記壁または壁固定部材との固定位置を微調整可能にしたことを特徴とするキャビネットの固定構造。
【請求項２】
前記固定治具の前記第一ネジ挿入穴および前記第二ネジ挿入穴は、
横手方向の幅が前記ネジのネジ頭の直径より小さく、
長手方向の幅が前記ネジのネジ頭直径の２倍以上であることを特徴とする請求項１に記載のキャビネットの固定構造。
【発明の詳細な説明】
【技術分野】
【０００１】
本発明はキャビネットに関し、特に、設置すべき壁面に少なくとも一部が埋め込まれた手洗器本体を備えたキャビネットの固定構造に関する。 
【背景技術】
【０００２】
特開２００１-２６９６２号公報には、壁に半分埋め込まれた手洗器下部にキャビネットを固定する構成の手洗器キャビネットの記載がある。キャビネットの固定は、ネジで壁面に固定されている。
【特許文献１】特開２００１-２６９６２号公報
【発明の開示】
【発明が解決しようとする課題】
【０００３】
図９に示すように従来の手洗器キャビネットは、現場施工の誤差により壁面埋設幅がキャビネットの幅より大きい場合にスペーサーをキャビネットと壁面の間に設置する必要があった。スペーサーは、２ｍｍ程度の厚みの板を重ねたもので、隙間に合わせてスペーサーの重ねる枚数を調整する必要があった。そのため、隙間を測定してスペーサーの重ね枚数を決定し、隙間にスペーサーを設置するため、施工時間を要するという課題があった。
【０００４】
また、図１０に示すようにキャビネットと壁面の間は狭い幅であるため、キャビネットと壁面の隙間Ａ、Ｂ部にスペーサーを挿入し難い。また、スペーサーを設置固定するとき、スペーサーの厚みと隙間Ａ、Ｂ部の幅が合わないために無理にスペーサーを挿入しキャビネットを変形し破損する課題が有った。このため、壁面内でのキャビネットの水平位置、垂直位置を微調整する事が困難である課題があった。
【０００５】
従って、本発明は、キャビネットと壁面の間の狭い幅においても短時間で施工が可能であり、壁面内でキャビネットの水平位置、垂直位置を微調整する事が容易であり、キャビネットを変形し破損することのないキャビネットの固定構造を提供することを目的としている。
【課題を解決するための手段】
【０００６】
本発明では、上記課題を解決するためにトイレルームの壁面に埋設されて設置されるキャビネットの固定構造において、前記キャビネットの上面及び底面に固定治具が配置され、前記固定治具はＬ字形状であり、前記固定治具はＬ字形状の第一の面に形成された第一ネジ挿入穴と、前記Ｌ字形状の第一の面とは異なる第二の面に形成された第ニネジ挿入穴を備え、前記第一ネジ挿入穴にネジを挿通して前記キャビネットと前記固定治具が固定されており、かつ前記第ニネジ挿入穴にネジを挿通して壁または壁固定部材と前記固定治具が固定されており、前記キャビネットと前記壁または壁固定部材との固定位置を微調整可能にしたことを特徴とするキャビネットの固定構造を提供する。
【０００７】
本発明の好ましい形態においては、前記固定治具の前記第一ネジ挿入穴および前記第二ネジ挿入穴は、横手方向の幅が前記ネジのネジ頭の直径より小さく、長手方向の幅が前記ネジのネジ頭直径の２倍以上であることを特徴とする請求項１に記載のキャビネットの固定構造を提供する。
【発明の効果】
【０００８】
本発明のキャビネットの固定構造によれば、施工時間が短時間であり、キャビネットと壁面の狭い空間においても壁面内でのキャビネットの水平位置、垂直位置を微調整する事が容易であり、キャビネットを変形し破損することのない。
【発明を実施するための最良の形態】
【０００９】
次に、添付図面を参照して、本発明の実施形態によるキャビネットの固定構造を説明する。図１は、本発明の実施形態によるトイレルームの上面図であり、図２は本発明の実施形態によるキャビネットの側面断面図であり、図３は正面図である。また、図４はキャビネットと固定治具を示した斜視図、図５は固定治具とキャビネットの配置図、図６、図７は固定治具の拡大図、図８は固定治具とキャビネットの上面図である。
【００１０】
図１乃至図３に示すように、便器Ｄが設置されているトイレルームに手洗器キャビネット本体１がある。トイレルームは、住宅に設置されるトイレルームや、学校、オフィスビルなど公衆に利用されるトイレルームがあるが、本発明の好ましい実施形態においてはトイレルームの設置場所に限定されない。施工する際、トイレルームの壁面Ｗを形成している壁面Ｗの一部を取り除き、その壁面Ｗの除去部に手洗器ユニット本体１を埋め込む。図１に示すように、トイレルームの壁面Ｗに手洗器キャビネット本体１を埋め込んでいるため、図１１に示す従来のトイレルームに比べて狭いトイレルームの空間を広く使う事ができる。このことにより、使用者がトイレルームに入る際、手洗器キャビネットにぶつかったり、使用者が便座に腰掛けた時、手洗器キャビネットに足がぶつかることのない。
【００１１】
図８に示すように、キャビネット本体３は、壁面Ｗの前方に露出するキャビネット本体前半部３ａと、壁面Ｗの中に埋め込まれるキャビネット本体後半部３ｂと、を有する。キャビネット本体前半部３ａとキャビネット本体後半部３ｂは連続して形成され、キャビネット本体前半部３ａの幅は、キャビネット本体後半部３ｂの幅よりも大きく構成されている。キャビネット本体後半部３ｂの幅は、壁面Ｗの裏側に取り付けられた２本の壁固定部材Ｃの間隔よりも僅かに小さく形成されており、キャビネット本体後半部３ｂは、これらの壁固定部材Ｃの間に挿入される。壁固定部材は、好ましくは木材が用いられるが、この材質に限定されない。
【００１２】
また、キャビネット本体３は、キャビネット本体前半部３ａの後端部３ｃを、壁面Ｗに当接させることにより位置決めされている。さらに、キャビネット本体３は、後端部３ｃが壁面Ｗに当接した状態で、キャビネット本体後半部３ｂの側面と壁固定部材Ｃをネジ９が挿通された固定治具７を介して固定することにより、壁面Ｗに取り付けられている。また、トイレルームの壁面が厚い場合には、壁固定部材Ｃは用いられず、キャビネット本体後半部３ｂの側面と壁面Ｗをネジ９が挿通された固定治具７を介して固定される。キャビネット本体３の前面は、蝶番（図示せず）で開閉可能に構成されており、キャビネット本体３内部の空間を収納スペースとして利用できるようになっている。
【００１３】
図４および図５に示す様に固定治具７ｈ〜７ｋは、キャビネット本体３のコーナー部４箇所の埋設部分に設置している。４箇所に固定治具を設置することにより、キャビネット本体３を壁面Ｗまたは壁固定部材Ｃにがたつきが少なく固定することが可能になる。さらに強固に固定するためには、固定治具７の設置個数を増やすことが好ましい。固定治具７の材質は、一般的に錆びないようにステンレスを用いられるが、安価な鉄などでもよく、特に材質に限定されない。
【００１４】
図６に示すように固定治具は、Ｌ面（第二の面）とＭ面（第一の面）とからなり、ともにネジ９を挿通するためのネジ挿入穴Ｈがあいている。Ｌ面とＭ面により形成する角度は、本実施例ではＬ字形状を成すように直角である事が好ましいが、キャビネットの固定構造によっては固定しやすい角度に固定治具の角度を微調整されることが望ましい。
【００１５】
図７には、固定治具のＬ面の上面図を示す。ネジ挿入穴Ｈの形状は、ネジ９が固定治具７に挿通され固定されるようにネジ挿入穴Ｈの横手方向の幅Ｙよりネジ頭直径Ｘが大きく、ネジ９がキャビネット本体３の仮固定時にネジ挿入穴Ｈの長手方向の幅Ｚを動く事ができるようにネジ頭直径Ｘより長手方向の幅Ｚが広い構成であれば、ネジ挿入穴Ｈの形状はこれに限定されない。好ましくは長手方向の幅Ｚは、ネジ頭直径Ｘの２倍以上の幅に構成する。このことにより、ネジがキャビネット仮固定時にネジ挿入穴Ｈの長手方向の幅Ｚを自由に動く事ができ、キャビネット本体３を壁面Ｗまたは壁固定部材Ｃに固定する際、微調整可能にできる。また、Ｌ面とＨ面のネジ挿入穴Ｈは、同じ形状でも良いし、異なった形状でも良い。
【００１６】
キャビネット本体３の固定手順について、以下に記す。まず、図４及び図５に示すように固定治具７をキャビネット本体３のコーナー部の４箇所にネジ９で仮固定する。その後、キャビネット本体３を壁面Ｗに当接させ図８の状態にする。施工者は、キャビネット本体３を離れた位置から見てキャビネット本体３を水平、垂直に位置調整し、４箇所の固定治具７に挿通されたネジ９で壁に仮固定する。再度、施工者は仮固定したキャビネット本体３を離れた位置から観察し、水平、垂直に位置調整し、固定治具７に挿通されたネジ９でキャビネット本体３、壁面Ｗの順に４箇所固定する。ネジ９で固定治具７の４箇所を固定することにより、キャビネットの固定が完了する。
【００１７】
本発明の実施形態のキャビネットの固定構造によれば、固定治具に長穴があいていることにより、ネジを仮固定させて壁面に埋設したキャビネットを水平、垂直に位置調整することが可能になるため、キャビネットの固定方法が容易になる。
【図面の簡単な説明】
【００１８】
【図１】本発明の実施形態によるトイレルームの上面図である。
【図２】本発明の実施形態による手洗器キャビネットの側面断面図である。
【図３】本発明の実施形態による手洗器キャビネットの正面図である。
【図４】キャビネットと固定治具を示した斜視図
【図５】固定治具とキャビネットの配置図
【図６】固定治具の拡大図
【図７】固定治具の拡大図
【図８】固定治具とキャビネットの上面図
【図９】従来のスペーサーを用いた固定構造
【図１０】従来の固定構造
【図１１】従来のトイレルームの上面図である。
【符号の説明】
【００１９】
Ａ 第一壁面部とキャビネット第一壁面部との距離
Ｂ 第ニ壁面部とキャビネット第二壁面部との距離
Ｃ 壁固定部材
Ｄ 便器
Ｆ 床面
Ｈ ネジ挿入穴
Ｌ 固定治具の第二の面
Ｍ 固定治具の第一の面
Ｗ 壁面
Ｘ ネジ頭直径
Ｙ 固定治具の横手方向の幅
Ｚ 固定治具の長手方向の幅
１ 本発明の実施形態による手洗器キャビネット
２ｄ 天板
２ｅ 背板
３ キャビネット
３ａ キャビネット本体前半部
３ｂ キャビネット本体後半部
３ｃ キャビネット後端部
４ 埋込プレート
６ 手洗器本体
６ｄ 機能部
６ｅ スパウト
６ｆ あふれ縁
６ｇ 底面
７ 固定治具
７ｈ〜７ｋ 固定治具
８ スペーサー
９ ネジ
９ａ ネジ頭
１０ 鏡
【図１】
2008110091.tif 000003
【図２】
2008110091.tif 000004
【図３】
2008110091.tif 000005
【図４】
2008110091.tif 000006
【図５】
2008110091.tif 000007
【図６】
2008110091.tif 000008
【図７】
2008110091.tif 000009
【図８】
2008110091.tif 000010
【図９】
2008110091.tif 000011
【図１０】
2008110091.tif 000012
【図１１】
2008110091.tif 000013